【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
同一のＸ線撮影室内に被検体にＸ線を照射する２つのＸ線管球と、前記２つのＸ線管球を各種方向に自在に移動し支持するＸ線管移動機構部と、前記Ｘ線管移動機構部の移動方向を制御する前記２つのＸ線管球にそれぞれ備えた操作部と、前記２つのＸ線管球に電力を供給する１つのＸ線高電圧発生部と、を備えたＸ線撮影装置において、
操作者によって操作される前記それぞれの操作部に設置されたスイッチの信号に基づいて、前記Ｘ線高電圧発生部の電力供給先を前記２つのＸ線管球のうち何れか一方を選択することを特徴とするＸ線撮影装置。
【請求項２】
前記スイッチは、前記Ｘ線の照射領域を可視光にて確認するための照射ランプを操作するための照射ランプスイッチであることを特徴とする請求項１に記載のＸ線撮影装置。
【請求項３】
前記スイッチは、前記Ｘ線管球の各種方向に対するブレーキをかける電磁ブレーキを操作するための電磁ブレーキスイッチであることを特徴とする請求項１に記載のＸ線撮影装置。
【手続補正２】
【補正対象書類名】明細書
【補正対象項目名】００１１
【補正方法】変更
【補正の内容】
【００１１】
同一のX線撮影室内に被検体にX線を照射する2つのX線管球と、2つのX線管球を各種方向に自在に移動し支持するX線管移動機構部と、X線管移動機構部の移動方向を制御する2つのX線管球にそれぞれ備えた操作部と、2つのX線管球に電力を供給する1つのX線高電圧発生部と、を備えたX線撮影装置において、操作者によって操作されるそれぞれの操作部に設置されたスイッチの信号に基づいて、X線高電圧発生部の電力供給先を2つのX線管球のうち何れか一方を選択する。
【手続補正３】
【補正対象書類名】明細書
【補正対象項目名】００１２
【補正方法】変更
【補正の内容】
【００１２】
本発明によれば、同一の撮影室内に2つのX線管球を有し、この2つのX線管球の何れか一方を選択して電力を供給する1つのX線高電圧発生装置を備えたX線撮影装置において、2つのX線管球を順次用いて行なうX線撮影を容易に実施することが可能なX線撮影装置を提供することができる。
【手続補正４】
【補正対象書類名】明細書
【補正対象項目名】００１７
【補正方法】変更
【補正の内容】
【００１７】
X線撮影室1内には、X線管球104に、X線を発生する為に必要な電力を供給するX線高電圧発生部114と、前記X線を発生する為以外に第一のX線照射装置101が必要とする照射ランプ106、電磁ブレーキ110、照射ランプスイッチ111、電磁ブレーキスイッチ112、高圧電源切替えスイッチ113、などに電力を供給する電圧発生部115を備え、さらに、X線管球104と対向する位置に配置され、被検体100を透過したX線を検出するX線検出器116が設置されている。X線撮影室1とは別体に設けられたX線操作室2には、X線検出器116から出力されたX線信号に対して画像処理を行なうX線画像処理部117と、X線画像処理部117から出力されたX線画像を記憶する外部記憶部118と、X線画像処理部117によって画像処理されたX線画像等を表示する表示部119と、上記各構成要素を制御する制御部120と、制御部120に対して指令を行なう操作卓121と、を備えている。X線撮影室1とX線操作室2の間にはX線を通さない鉛を含んだ壁122によって仕切られ、X線撮影室1内で発生したX線はX線操作室2に入ることがない。
【手続補正５】
【補正対象書類名】明細書
【補正対象項目名】００２３
【補正方法】変更
【補正の内容】
【００２３】
操作卓121は、キーボードやマウス等を備え、これらを用いて操作者は、制御部120に対して指令を行なう。
【手続補正６】
【補正対象書類名】明細書
【補正対象項目名】００２９
【補正方法】変更
【補正の内容】
【００２９】
高圧電源切替えスイッチ113により、X線高電圧発生部114内に設置された切り替え部201が、S0の状態からS1の状態に切り替わった後、制御部120は、このスイッチング動作に連動してX線管球104内のフィラメントの加熱動作、及び回転陽極の回転動作を開始する。操作者は、操作部108に設置された高圧電源切替えスイッチ113を一度押し圧した後、同様に操作部108に設置された照射ランプスイッチ111及び電磁ブレーキスイッチ112と、操作部108を用いてX線管球104の位置合わせを行なった後、操作室2に移動し、操作卓121に備えられたX線照射スイッチを用いて被検体100に対しX線を照射しX線撮影を行なう。
【手続補正７】
【補正対象書類名】明細書
【補正対象項目名】００３０
【補正方法】変更
【補正の内容】
【００３０】
この際、既にX線管球104内部のフィラメント及び回転陽極は、X線を照射可能な状態になっているため、X線管球104がX線照射可能になるまでの間、被検体100を同一姿勢のままで待たせる必要がない。撮影終了後、操作者はX線撮影室1に移動し、第ニのX線照射装置102を用いて被検体100の立位でのX線撮影を行なう。この際、操作者は第ニのX線照射装置102の操作部108aに設置された高圧電源切替えスイッチ113aを一度押し圧することで、制御部120は、X線高電圧発生部114に対し、X線管球104aに、X線を発生する為に必要な電力を供給するよう制御信号を送信する。X線高電圧発生部114は、制御部120から前記制御信号を受信すると、X線高電圧発生部114内に設置された切り替え部201が、S1の状態からS2の状態に切り替わる。高圧電源切替えスイッチ113aも高圧電源切替えスイッチ113と同様に高圧電源切替えスイッチ113aを一度押し圧した後、繰り返しスイッチ113aを押し圧してもX線高電圧発生部114から供給される電力は遮断されることはない。以後の動作は臥位でのX線撮影と同様であるので説明を省略する。
【手続補正８】
【補正対象書類名】明細書
【補正対象項目名】００３６
【補正方法】変更
【補正の内容】
【００３６】
次に、ステップS305では、制御部120が、X線撮影装置が停止信号を監視し、X線撮影装置の停止信号を受信したらステップS306へ、受信しなければステップS302へ戻る。X線撮影装置が停止信号は、操作者により操作卓121を用いて行なわれる。
【手続補正９】
【補正対象書類名】明細書
【補正対象項目名】００４１
【補正方法】変更
【補正の内容】
【００４１】
また、これら各スイッチ(高圧電源切替えスイッチ，照射ランプスイッチ，電磁ブレーキスイッチ)は、操作部108,108aに設置したが、該設置位置はX線管球の近くであればよい。また、本実施例ではX高電圧発生部114をX線撮影室1に設置したが、X線操作室2に設置してもよい。
【手続補正１０】
【補正対象書類名】明細書
【補正対象項目名】００４２
【補正方法】変更
【補正の内容】
【００４２】
1  X線撮影室、2  X線操作室、100  被検体、101  第一のX線照射装置、102  第二のX線照射装置、103  天板、104，104a  X線管球、105  X線絞り装置、106  照射ランプ、107  支持器、108，108a  操作部、109  X線管移動機構部、110  電磁ブレーキ、111，111a  照射ランプスイッチ、112，112a  電磁ブレーキスイッチ、113，113a  高圧電源切替えスイッチ、114  X線高電圧発生部、115  電圧発生部、116  X線検出器、117  X線画像処理部、118  外部記憶部、119  表示部、120  制御部、121  操作卓、122  壁、201  切り替え部、202  X線高電圧電源
【手続補正１１】
【補正対象書類名】図面
【補正対象項目名】図１
【補正方法】変更
【補正の内容】
【図１】
2013042766.tif 000001